(57)【特許請求の範囲】
【請求項１】
第１の携帯型通信装置および第２の携帯型通信装置に着脱自在に接続可能で前記携帯型通信装置との間でデータの入出力を行う第１のインタフェース手段と、
所定のアプリケーションプログラム、並びに電話番号データを記憶する記憶手段と、
コンピュータに着脱自在に接続可能であり、前記コンピュータが接続された状態で、前記コンピュータが前記記憶手段に前記アプリケーションプログラムを書き込む際のインタフェースとなる第２のインタフェース手段と、
前記アプリケーションプログラムを基に動作し、前記第１のインタフェース手段に対して前記第１の携帯型通信装置が電源オフの状態で接続された後に当該第１の携帯型通信装置の電源がオンに切り換わったことを検出すると、前記第１のインタフェース手段を介して前記第１の携帯型通信装置から当該第１の携帯型通信装置の電話番号データを読み出して前記記憶手段に書き込み、前記第１のインタフェース手段に対して前記第２の携帯型電源装置が電源オンの状態で接続されたことを検出すると、前記第２の携帯型通信装置が前記記憶手段に記憶された電話番号データを用いて自動的に発呼するように前記第１のインタフェース手段を介して前記第２の携帯型通信装置を制御する制御手段と
を有する請求項１に記載の通信補助装置。
【請求項２】
前記記憶手段は、記憶されたデータを書き換え可能であり、前記第２のインタフェース手段を介して前記コンピュータから前記アプリケーションプログラムが書き込まれる
請求項１に記載の通信補助装置。
【請求項３】
第１のユーザが使用する第１の携帯型通信装置に第２のユーザが使用する通信補助装置を装着し、
前記通信補助装置が、前記第１の携帯型通信装置から当該第１の携帯型通信装置の電話番号データを読み込んで記憶し、
前記通信補助装置を第３のユーザが使用する第２の携帯型通信装置に装着し、
前記通信補助装置が、前記記憶した電話番号データを基に前記第２の携帯型通信装置が前記第１の携帯型通信装置に自動的に発呼するように前記第２の携帯型通信装置を制御する
通信方法であって、
前記通信補助装置が、前記第１の携帯型通信装置が電源オフの状態で前記通信補助装置に装着された後に当該第１の携帯型通信装置の電源がオンに切り換わったことを検出すると、前記第１の携帯型通信装置から当該第１の携帯型通信装置の電話番号データを読み出して記憶し、
前記通信補助装置が、前記第２の携帯型電源装置が電源オンの状態で前記通信補助装置に装着されたことを検出すると、前記記憶した電話番号データを前記第２の携帯型通信装置が用いて発呼するように前記第２の携帯型通信装置を制御する
通信方法。
【請求項４】
前記通信補助装置にコンピュータを接続した状態で、前記コンピュータから前記通信補助装置にアプリケーションプログラムを書き込み、
前記通信補助装置は、前記アプリケーションプログラムを基に動作する
請求項３に記載の通信方法。
【発明の詳細な説明】
【０００１】
【発明の属する技術分野】
本発明は、携帯型通信装置を制御する通信補助装置および通信方法に関する。
【０００２】
【従来の技術】
例えば、遊園地などでは、迷子になった子供を保護する施設があり、そのような施設で保護された子供の名前をマイクなどで放送して、保護者を見つけ出している。
【０００３】
【発明が解決しようとする課題】
しかしながら、上述した従来の手法では、マイクなどによる放送が他の利用者に不快感を与えるという問題がある。
また、上述したような施設を設ける必要があり、人件費がかかるという問題がある。
【０００４】
本発明は上述した従来技術の問題点に鑑みてなされ、子供や老人などが迷子になった場合に、携帯型通信装置を用いて保護者との連絡を容易にとれるようにできる通信補助装置および通信方法を提供することを目的とする。
【０００５】
【課題を解決するための手段】
上述した従来技術の問題点を解決し、上述した目的を達成するために、第１の発明の通信補助装置は、第１の携帯型通信装置および第２の携帯型通信装置に着脱自在に接続可能で前記携帯型通信装置との間でデータの入出力を行う第１のインタフェース手段と、所定のアプリケーションプログラム、並びに電話番号データを記憶する記憶手段と、コンピュータに着脱自在に接続可能であり、前記コンピュータが接続された状態で、前記コンピュータが前記記憶手段に前記アプリケーションプログラムを書き込む際のインタフェースとなる第２のインタフェース手段と、前記アプリケーションプログラムを基に動作し、前記第１のインタフェース手段に対して前記第１の携帯型通信装置が電源オフの状態で接続された後に当該第１の携帯型通信装置の電源がオンに切り換わったことを検出すると、前記第１のインタフェース手段を介して前記第１の携帯型通信装置から当該第１の携帯型通信装置の電話番号データを読み出して前記記憶手段に書き込み、前記第１のインタフェース手段に対して前記第２の携帯型電源装置が電源オンの状態で接続されたことを検出すると、前記第２の携帯型通信装置が前記記憶手段に記憶された電話番号データを用いて自動的に発呼するように前記第１のインタフェース手段を介して前記第２の携帯型通信装置を制御する制御手段とを有する。
【０００６】
第１の観点の発明の通信補助装置は、好ましくは、前記記憶手段は、記憶されたデータを書き換え可能であり、前記第２のインタフェース手段を介して前記コンピュータから前記アプリケーションプログラムが書き込まれる。
【０００７】
第２の観点の発明の通信方法は、第１のユーザが使用する第１の携帯型通信装置に第２のユーザが使用する通信補助装置を装着し、前記通信補助装置が、前記第１の携帯型通信装置から当該第１の携帯型通信装置の電話番号データを読み込んで記憶し、前記通信補助装置を第３のユーザが使用する第２の携帯型通信装置に装着し、前記通信補助装置が、前記記憶した電話番号データを基に前記第２の携帯型通信装置が前記第１の携帯型通信装置に自動的に発呼するように前記第２の携帯型通信装置を制御する通信方法であって、前記通信補助装置が、前記第１の携帯型通信装置が電源オフの状態で前記通信補助装置に装着された後に当該第１の携帯型通信装置の電源がオンに切り換わったことを検出すると、前記第１の携帯型通信装置から当該第１の携帯型通信装置の電話番号データを読み出して記憶し、前記通信補助装置が、前記第２の携帯型電源装置が電源オンの状態で前記通信補助装置に装着されたことを検出すると、前記記憶した電話番号データを前記第２の携帯型通信装置が用いて発呼するように前記第２の携帯型通信装置を制御する。
【０００８】
第２の観点の発明の通信方法は、好ましくは、前記通信補助装置にコンピュータを接続した状態で、前記コンピュータから前記通信補助装置にアプリケーションプログラムを書き込み、前記通信補助装置は、前記アプリケーションプログラムを基に動作する。
【００１２】
【発明の実施の形態】
以下、本発明の実施形態に係わる通信システムについて説明する。
第１実施形態
図１は、本実施形態の通信システム１の全体構成図である。
図１に示すように、通信システム１は、携帯電話装置７ａ，７ｂ、通信補助装置８および携帯電話通信制御装置９を有する。
ここで、携帯電話装置７ａが本発明の第１の携帯型通信装置に対応し、携帯電話装置７ｂが本発明の第２の携帯型通信装置に対応し、通信補助装置８が本発明の通信補助装置に対応している。
携帯電話装置７ａは、子供の親や老人の保護者などのユーザＡ（本発明の第１のユーザ）が使用する。
通信補助装置８は、例えば、迷子になる可能性のある子供や老人などのユーザＣ（本発明の第２のユーザ）が使用する。
携帯電話装置７ｂは、例えば、迷子になった子供や老人を保護したユーザＢ（本発明の第３のユーザ）が使用する。
【００１３】
ユーザＣが使用する通信補助装置８は、例えば、ユーザＡが使用する携帯電話装置７ａに着脱自在に装着され、着時に携帯電話装置７ａの電話番号データを読み込んで記憶する。
また、通信補助装置８は、例えば、ユーザＢが使用する携帯型通信装置７ｂに装着されると、記憶していた電話番号データを基に、携帯電話装置７ａに発呼するように携帯電話装置７ｂを制御する。
また、通信補助装置８は、パーソナルコンピュータ２５（本発明のコンピュータ）と着脱可能に接続され、パーソナルコンピュータ２５が接続された状態で、パーソナルコンピュータ２５によってアプリケーションプログラムがダウンロードされる。
【００１４】
〔携帯電話装置７ａ，７ｂ〕
携帯電話装置７ａ，７ｂは、例えば、同じ構成を有している。
携帯電話装置７ａ，７ｂは、携帯電話以外でも、例えば、ＰＨＳ(Personal Handy Phone System) でもよい。
図２は、携帯電話装置７ａ，７ｂの機能ブロック図である。
図２に示すように、携帯電話装置７ａ，７ｂは、通信インタフェース部１０、表示部１１、操作部１２、記憶部１３および制御部１４を有する。
通信インタフェース部１０は、通信補助装置８の後述する携帯用通信インタフェース部のコネクタに着脱自在に装着されるコネクタ１０ａを有し、着時に通信補助装置８との間でデータの入出力を行うインタフェースである。
表示部１１は、例えば、液晶ディスプレイであり、制御部１４の制御に基づいて、表示信号に応じた画像を表示する。
【００１５】
操作部１２は、例えば、ボタンなどの操作手段であり、ユーザによる操作に応じた操作信号を制御部１４に出力する。
記憶部１３は、例えば、ＥＥＰＲＯＭ(Electronically Erasable Programmable Read Only Memory) であり、携帯電話装置７ａ，７ｂの自局の電話番号データ１３ａを記憶する。
また、記憶部１３は、携帯電話装置７ａ，７ｂの機能を実現するための制御部１４による処理内容を記述したアプリケーションプログラム１３ｂを記憶する。
【００１６】
制御部１４は、記憶部１３に記憶されたアプリケーションプログラム１３ｂに基づいて、携帯電話装置７ａ，７ｂの処理を統括的に制御する。
また、制御部１４は、携帯電話装置７ａ，７ｂに通信補助装置８が装着されたときに、通信補助装置８の制御部からの制御に基づいて、後述する制御を行う。
【００１７】
〔通信補助装置８〕
図３は通信補助装置８の機能ブロック図、図４は図３に示す記憶部２２に記憶されるデータを説明するための図である。
図３に示すように、通信補助装置８は、例えば、携帯用通信インタフェース部２０、ＰＣ用インタフェース部２１、記憶部２２および制御部２３を有する。
ここで、携帯用通信インタフェース部２０が本発明の第１のインタフェース手段に対応し、ＰＣ用インタフェース部２１が本発明の第２のインタフェース手段に対応し、記憶部２２が本発明の記憶手段に対応し、制御部２３が本発明の制御手段に対応している。
【００１８】
携帯用通信インタフェース部２０は、携帯電話装置７ａの通信インタフェース部１０のコネクタ１０ａに着脱自在に装着されるコネクタ２０ａを有し、着時に携帯電話装置７ａとの間でデータの入出力を行うインタフェースである。
携帯用通信インタフェース部２０は、携帯電話およびＰＨＳの双方で共用可能なフォーマットを有している。
ＰＣ用インタフェース部２１は、パーソナルコンピュータ２５の後述する通信インタフェース部のコネクタに着脱自在に装着されるコネクタを有し、着時にパーソナルコンピュータ２５との間でデータの入出力を行うインタフェースである。
【００１９】
記憶部２２は、例えば、記憶内容を電気的に消去可能な不揮発性メモリであるＥＥＰＲＯＭであり、所定の処理を経て取得された携帯電話装置７ａの電話番号データ７０と、制御部２３の制御内容を規定したアプリケーションプログラム（ＡＰ）７１とを記憶する。
【００２０】
制御部２３は、通信補助装置８の処理を統括的に制御する。
また、制御部２３は、通信補助装置８が携帯電話装置７ａ，７ｂに装着されたときに、後述するように携帯電話装置７ａ，７ｂの制御部１４を制御する。
【００２１】
図５（Ａ）は通信補助装置８の正面図、図５（Ｂ）は図５（Ａ）の図中上側から見た側面図、図５（Ｃ）は図５（Ａ）の図中左側から見た側面図、図５（Ｄ）は図５（Ａ）の図中下側から見た側面図、図５（Ｅ）は図５（Ａ）の図中右側から見た側面図である。
図５（Ａ）〜（Ｅ）に示すように、通信補助装置８は、第１のケース９０ａと第２のケース９０ｂとを有し、第１のケース９０ａと第２のケース９０ｂとの間に、携帯用通信インタフェース部２０、ＰＣ用インタフェース部２１、記憶部２２、制御部２３および電池（図示せず）を収容している。
携帯用通信インタフェース部２０のコネクタ２０ａの凸部が、図５（Ａ），（Ｂ），（Ｃ），（Ｅ）のように、通信補助装置８の外部に突き出ている。また、コネクタ２０ａの凸部を、保護する保護ケース９１が、着脱自在に設けられている。保護ケース９１は、外した状態では、図６に示すようになる。
【００２２】
また、ＰＣ用インタフェース部２１のコネクタ２１ａの凹部は、図５（Ｄ）に示すように、通信補助装置８の外部に露出している。また、コネクタ２１ａを保護する保護ケース９２が着脱自在に設けられている。
【００２３】
図７（Ａ）は通信補助装置８の携帯用通信インタフェース部２０のコネクタ２０ａを、携帯電話装置７ａの通信インタフェース部１０のコネクタ１０ａに装着した状態での正面図、図７（Ｂ）は図７（Ａ）の左側から見た側面図である。
図７（Ａ），（Ｂ）に示すように、通信補助装置８を携帯電話装置７ａ，７ｂに装着する場合に、通信補助装置８の保護ケース９１を外した状態で、通信補助装置８の携帯用通信インタフェース部２０のコネクタ２０ａの凸部を、携帯電話装置７ａ，７ｂの通信インタフェース部１０の凹部１０ａに嵌め込む。
【００２４】
〔携帯電話通信制御装置９〕
携帯電話通信制御装置９は、携帯電話通信の中継機能、回線接続機能などを有し、携帯電話装置７ａと７ｂとの間の無線回線通信を制御する。
【００２５】
〔パーソナルコンピュータ２５〕
パーソナルコンピュータ２５は、例えば、図３に示すＰＣ用インタフェース部２１を介して、通信補助装置８の記憶部２２にアプリケーションプログラムを書き込む。
このとき、図８に示すように、通信ケーブル１００の一端のコネクタを通信補助装置８のＰＣ用インタフェース部２１のコネクタ２１ａに装着し、通信ケーブル１００の他端のコネクタをパーソナルコンピュータ２５の通信インタフェース部３０のコネクタ３０ａに装着する。
【００２６】
以下、図１に示す通信システム１の全体動作の概要を説明する。
図９は、図１に示す通信システム１の全体動作の概要を説明するためのフローチャートである。
ステップＳＴ１：
ユーザＡは、携帯電話装置７ａに通信補助装置８を装着し、図２に示す携帯電話装置７ａの自局電話番号データ１３ａを通信補助装置８に取り込み、図３に示す通信補助装置８の記憶部２２に記憶する。
【００２７】
ステップＳＴ２：
ユーザＡは、通信補助装置８を子供などのユーザＣに持たせる。
【００２８】
ステップＳＴ３：
例えば、ユーザＣが迷子により、ユーザＢによって保護される。
【００２９】
ステップＳＴ４：
ユーザＢが、ユーザＣが持つ通信補助装置８を、自らの携帯電話装置７ｂに装着する。
これにより、通信補助装置８によって、携帯電話装置７ｂから携帯電話装置７ａに自動的に発呼が行われ、ユーザＡとユーザＣとが会話ができる。
【００３０】
以下、図９に示すステップＳＴ１の処理について詳細に説明する。
図１０は、図９に示すステップＳＴ１の処理を説明するためのフローチャートである。
ステップＳＴ１１：
ユーザＡが、携帯電話装置７ａの電源をオフに設定する。
なお、既にオフに設定されている場合には、操作は不要である。
【００３１】
ステップＳＴ１２：
ユーザＡが、図２に示す携帯電話装置７ａの通信インタフェース部１０に、図３に示す通信補助装置８の携帯用通信インタフェース部２０を接続（装着）する。
【００３２】
ステップＳＴ１３：
ユーザＡが、携帯電話装置７ａの電源をオンに切り換える。
【００３３】
ステップＳＴ１４：
ステップＳＴ１３の操作に応じて、携帯電話装置７ａの制御部１４で発生した所定のコードが、通信インタフェース部１０から通信補助装置８に送信される。
【００３４】
ステップＳＴ１５：
図３に示す通信補助装置８の制御部２３が、ステップＳＴ１４で携帯電話装置７ａから所定のコードを受信したことを検出すると、携帯用通信インタフェース部２０を介して、携帯電話装置７ａの記憶部１３から自局電話番号データ１３ａを読み込む。
【００３５】
ステップＳＴ１６：
通信補助装置８の制御部２３は、ステップＳＴ１５で読み込んだ自局電話番号データ１３ａを記憶部１３に記憶する。
【００３６】
以下、図９に示すステップＳＴ４の処理について詳細に説明する。
図１２は、図９に示すステップＳＴ４の処理を説明するためのフローチャートである。
ステップＳＴ２１：
ユーザＢが、携帯電話装置７ｂの電源をオンに設定する。
なお、既にオンに設定されている場合には、操作は不要である。
【００３７】
ステップＳＴ２２：
ユーザＢが、図１１に示すように、図２に示す携帯電話装置７ｂの通信インタフェース部１０に、図３に示す通信補助装置８の携帯用通信インタフェース部２０を接続（装着）する。
【００３８】
ステップＳＴ２３：
図３に示す通信補助装置８の制御部２３が、ステップＳＴ２２で携帯電話装置７ｂに接続されたことを検出すると、記憶部２２から読み出した携帯電話装置７ａの電話番号データ７０を基に発呼を行うように図２に示す携帯電話装置７ｂの制御部１４を制御する。
【００３９】
ステップＳＴ２４：
携帯電話装置７ｂの制御部１４が、ステップＳＴ２３の制御に応じて、電話番号データ７０を基に携帯電話装置７ａに発呼を行う。
【００４０】
ステップＳＴ２５：
ステップＳＴ２４の発呼に応じて、携帯電話装置７ａと７ｂとが通話状態になり、ユーザＡとユーザＢが会話を行え、ユーザＢはユーザＡに、ユーザＣを保護していることを伝えることができる。
【００４１】
以上説明したように、通信システム１によれば、通信補助装置８を携帯電話装置７ａに装着するだけで、携帯電話装置７ａの電話番号データを通信補助装置８に取り込むことができる。また、通信システム１によれば、通信補助装置８を携帯電話装置７ｂに装着するだけで、携帯電話装置７ｂから携帯電話装置７ａに自動的に発呼を行わせることができる。
【００４２】
そのため、通信システム１によれば、ユーザＡが通信補助装置８を子供などのユーザＣに持たせることで、ユーザＣが迷子になった場合でも、保護者であるユーザＡと、ユーザＣを保護したユーザＢとの間で容易に携帯型通信装置７ａ，７ｂを用いた通話を行うことができる。
【００４３】
【発明の効果】
以上説明したように、本発明によれば、子供や老人などが迷子になった場合に、携帯型通信装置を用いて保護者との連絡を容易にとることを可能にする通信補助装置および通信方法を提供することができる。
【図面の簡単な説明】
【図１】図１は、本発明の実施形態の通信システムの全体構成図である。
【図２】図２は、図１に示す携帯電話装置の機能ブロック図である。
【図３】図３は、図１に示す通信補助装置の機能ブロック図である。
【図４】図４は、図３に示す記憶部に記憶されるデータを説明するための図である。
【図５】図５（Ａ）は図１に示す通信補助装置の正面図、図５（Ｂ）は図５（Ａ）の図中上側から見た側面図、図５（Ｃ）は図５（Ａ）の図中左側から見た側面図、図５（Ｄ）は図５（Ａ）の図中下側から見た側面図、図５（Ｅ）は図５（Ａ）の図中右側から見た側面図である。
【図６】図６は、図５に示す通信補助装置の保護ケースを外した状態での図である。
【図７】図７（Ａ）は図１に示す通信補助装置の携帯用通信インタフェース部のコネクタを、携帯電話装置の通信インタフェース部のコネクタに装着した状態での正面図、図７（Ｂ）は図７（Ａ）の左側から見た側面図である。
【図８】図８は、図１に示すパーソナルコンピュータと通信補助装置とを通信ケーブルで接続した状態を説明するための図である。
【図９】図９は、図１に示す通信システムの全体動作の概要を説明するためのフローチャートである。
【図１０】図１０は、図９に示すステップＳＴ１の処理を説明するためのフローチャートである。
【図１１】図１１は、図１２に示すステップＳＴ２２の処理を説明するためのフローチャートである。
【図１２】図１２は、図９に示すステップＳＴ４の処理を説明するためのフローチャートである。
【符号の説明】
１…通信システム、７ａ，７ｂ…携帯電話装置、８…通信補助装置、２５…パーソナルコンピュータ、１０…通信インタフェース部、１１…表示部、１２…操作部、１３…記憶部、１３ａ…電話帳データ、１３ｂ…アプリケーションプログラム、１４…制御部、２０…携帯用通信インタフェース部、２１…ＰＣ用インタフェース部、２２…記憶部、２３…制御部
【図１】
0003719989.tif 000002
【図２】
0003719989.tif 000003
【図３】
0003719989.tif 000004
【図４】
0003719989.tif 000005
【図５】
0003719989.tif 000006
【図６】
0003719989.tif 000007
【図７】
0003719989.tif 000008
【図８】
0003719989.tif 000009
【図９】
0003719989.tif 000010
【図１０】
0003719989.tif 000011
【図１１】
0003719989.tif 000012
【図１２】
0003719989.tif 000013